(57)【特許請求の範囲】
【請求項１】
本体部分をなす基台部と、該基台部を足甲に固定する被甲部とから矯正履物において、
該基台部が、足裏の内側足根小球及び外側足根小球から指裏が接すると共に爪先方向に向かって下がる前方足裏載置面を形成する部分のみからなり、
該前方足裏載置面の親指と人差し指との間の位置から起立し、該親指と該人差し指とを離間させる指間板を有し、
該爪先が下がって指先に負担が掛かった状態でありながら、該親指と該人差し指とが張り付かず指自体を自由に動かすことができることを特徴とする矯正履物。
【請求項２】
前記被甲部が鼻緒であり、
該鼻緒の略Ｖ字状の紐部の中間から垂下する指間挟持部の爪先方向に、前記指間板を備えることを特徴とする請求項１記載の矯正履物。
【請求項３】
前記前方足裏載置面の傾斜角度が、５度〜２０度であることを特徴とする請求項１又は請求項２記載の矯正履物。
【発明の詳細な説明】
【技術分野】
【０００１】
本発明は、足指等の矯正のための矯正履物に関する。
【背景技術】
【０００２】
従来より、美容や健康の目的でサンダルやスリッパ等の様々な矯正履物が提案されている。例えば、特許文献１に示される健康段差スリッパは、スリッパの床の前半分を一段と高くし、逆に後半分は一段下げて床に段差を設け、ふくらはぎやアキレス腱を伸ばして健康な体にしていくと同時に、足の筋肉を引きしめスリムな足にしていくことを狙っている。
【先行技術文献】
【特許文献】
【０００３】
【特許文献１】特開平０８−１５０００１号公報
【発明の概要】
【発明が解決しようとする課題】
【０００４】
しかしながら、従来の矯正履物は、足の筋肉の引きしめ効果は期待できるものの外反母趾の改善には効果を有しない。
【０００５】
本発明は、このような事情に鑑みてなされたもので、足の筋肉を引きしめると共に外反母趾の予防や改善が可能な矯正履物を提供することにある。
【課題を解決するための手段】
【０００６】
請求項１記載の矯正履物は、基台部が、足裏の内側足根小球及び外側足根小球から指裏が接すると共に爪先方向に向かって下がる前方足裏載置面を形成する部分のみからなり、前方足裏載置面の親指と人差し指との間の位置から起立し、親指と人差し指とを離間させる指間板を有し、爪先が下がって指先に負担が掛かった状態でありながら、親指と人差し指とが張り付かず指自体を自由に動かすことができることを特徴とする。
【０００７】
請求項２記載の矯正履物は、被甲部が鼻緒であり、鼻緒の略Ｖ字状の紐部の中間から垂下する指間挟持部の爪先方向に、指間板を備えることを特徴とする。
【０００８】
請求項３記載の矯正履物は、前方足裏載置面の傾斜角度が、５度〜２０度であることを特徴とする。
【発明の効果】
【００１０】
請求項１〜請求項３の発明によれば、前方足裏載置面が爪先方向に向かって下がり、指間板が親指と人差し指との間に親指と人差し指とを離間させることから、足の筋肉を引きしめると共に外反母趾の予防や改善が可能である。
【図面の簡単な説明】
【００１２】
【図１】本発明に係る第１の実施例の矯正履物を示す斜視図である。
【図２】同第１の実施例の矯正履物の部分正面図である。
【図３】同第１の実施例の矯正履物の上面図である。
【図４】同第１の実施例の矯正履物の説明図である。
【図５】本発明に係る第２の実施例の矯正履物を示す側面図である。
【図６】同第２の実施例の矯正履物の上面図である。
【図７】本発明に係る第３の実施例の矯正履物を示す側面図である。
【図８】同第３の実施例の矯正履物の上面図である。
【図９】本発明に係る第４の実施例の矯正履物を示す斜視図である。
【発明を実施するための形態】
【００１３】
以下、本発明の形態について図面を参照しながら具体的に説明する。本実施の形態における矯正履物は、足の筋肉を引きしめると共に外反母趾の予防や改善を目的とした履物である。
【実施例１】
【００１４】
図１は、本発明に係る第１の実施例の矯正履物を示す斜視図である。図２は、同第１の実施例の矯正履物の部分正面図である。図３は、同第１の実施例の矯正履物の上面図である。図４は、同第１の実施例の矯正履物の説明図である。
【００１５】
図１〜図４に示す、本実施例１における矯正履物１は、足８を載置する矯正履物１の本体をなす基台部１０と、足８の甲の部分を被う被甲部１２と、被甲部１２の内側に設けられた指間板１４等から構成されている。基台部１０は、通常のサンダル等に用いられる合成樹脂や木材等で、例えば固めの発泡ウレタン等で作られている。実施例１の基台部１０は、図４に示すように、側面視山なりで、足８を載置する載置面の爪先側が前方足裏載置面１０ａで、踵側が後方足裏載置面１０ｂとなっている。より具体的には、前方足裏載置面１０ａは、足８の裏の内側足根小球及び外側足根小球から指裏が接し、爪先方向に向かって下がっている。また、後方足裏載置面１０ｂは、足８の裏の土踏まずから踵が接し、踵方向に向かって下がっている。前方足裏載置面１０ａは、爪先方向に向かって５度〜２０度下がっている。また、前方足裏載置面１０ａと後方足裏載置面１０ｂとのなす角度は１２０度〜１８０度で、角部１０ｃが形成されている。
【００１６】
前方足裏載置面１０ａの親指８ａと人差し指８ｂとの間の位置は、板状の指間板１４が起立している。指間板１４は、基台部１０と同様に、通常のサンダル等に用いられる合成樹脂や木材等で、例えば固めの発泡ウレタン等で作られている。指間板１４は、親指８ａと人差し指８ｂとを離間させるに十分な厚みと固さを有していればよく、厚みは、５ｍｍ〜１０ｍｍである。
【００１７】
このような構造の矯正履物１を履く場合、図３及び図４に示すように、足８の爪先を被甲部１２に潜り込ませつつ、足８の裏を前方足裏載置面１０ａに乗せる。このとき、親指８ａと人差し指８ｂとの間に指間板１４が来るようにする。また、通常、矯正履物１を履く場合は、図４に示すように、足８を前方足裏載置面１０ａだけに載置し、踵が持ち上がった状態で履くようにする。
【００１８】
以上のように、本実施例１の矯正履物１によれば、踵が上がった状態になり足８に相応の負担が掛かり、足の筋肉の引きしめの効果が期待できる。また、爪先が下がって指先に負担が掛かった状態でありながら、親指８ａと人差し指８ｂとが張り付かず指自体を自由に動かすことができることから、外反母趾の予防や改善が可能である。また、指間板１４が親指８ａと人差し指８ｂとの間を刺激することから、足８の血行を促すこともできる。
【００１９】
さらに、前方足裏載置面１０ａと後方足裏載置面１０ｂとで角部１０ｃを形成していることから、角部１０ｃで足裏のマッサージが可能である。
【実施例２】
【００２０】
図５は、本発明に係る第２の実施例の矯正履物を示す側面図である。図６は、同第２の実施例の矯正履物の上面図である。
【００２１】
図５及び図６に示す、本実施例２における矯正履物２は、足８を載置する矯正履物２の本体をなす基台部２０と、足８の甲の部分を被う被甲部２２と、被甲部２２の内側に設けられた指間板２４等から構成されている。基台部２０は、通常のサンダル等に用いられる合成樹脂や木材等で、例えば固めの発泡ウレタン等で作られている。実施例２の基台部２０は、実施例１の基台部１０と異なり、足８の裏の内側足根小球及び外側足根小球から指裏が接し、爪先方向に向かって下がっている前方足裏載置面２０ａのみを有している。前方足裏載置面２０ａは、爪先方向に向かって５度〜２０度下がっている。
【００２２】
前方足裏載置面２０ａの親指８ａと人差し指８ｂとの間の位置は、板状の指間板２４が起立している。指間板２４は、基台部２０と同様に、通常のサンダル等に用いられる合成樹脂や木材等で、例えば固めの発泡ウレタン等で作られている。指間板２４は、親指８ａと人差し指８ｂとを離間させるに十分な厚みと固さを有していればよく、厚みは、５ｍｍ〜１０ｍｍである。
【００２３】
このような構造の矯正履物２を履く場合、足８の爪先を被甲部２２に潜り込ませつつ、足８の裏を前方足裏載置面２０ａに乗せる。このとき、親指８ａと人差し指８ｂとの間に指間板２４が来るようにする。これにより、実施例１の矯正履物１と同様に、爪先が下がって指先に負担が掛かった状態でありながら、親指８ａと人差し指８ｂとが張り付かず指自体を自由に動かすことができることから、外反母趾の予防や改善が可能である。特に、矯正履物２は、実施例１の矯正履物１と違って踵側の後方足裏載置面１０ｂを有しないことから、踵を絶えずあげたままの状態にしておく必要があり、足の筋肉の引きしめの効果がより一層期待できる。
【実施例３】
【００２４】
図７は、本発明に係る第３の実施例の矯正履物を示す側面図である。図８は、同第３の実施例の矯正履物の上面図である。
【００２５】
図７及び図８に示す、本実施例３における矯正履物３は、実施例２の矯正履物２と同様に、足８を載置する矯正履物３の本体をなす基台部３０と、足８の甲の部分を被う被甲部３２と、被甲部３２の内側に設けられた指間板３４等から構成されている。基台部３０は、通常のサンダル等に用いられる合成樹脂や木材等で、例えば固めの発泡ウレタン等で作られている。実施例３の基台部３０は、実施例２の基台部２０と同様に、足８の裏の内側足根小球及び外側足根小球から指裏が接し、爪先方向に向かって下がっている前方足裏載置面３０ａのみを有している。前方足裏載置面３０ａは、爪先方向に向かって５度〜２０度下がっている。また、矯正履物３は、基台部３０の両脇にＵ字状にバンド部３６が設けられている。
【００２６】
前方足裏載置面３０ａの親指８ａと人差し指８ｂとの間の位置は、板状の指間板３４が起立している。指間板３４は、基台部３０と同様に、通常のサンダル等に用いられる合成樹脂や木材等で、例えば固めの発泡ウレタン等で作られている。指間板３４は、親指８ａと人差し指８ｂとを離間させるに十分な厚みと固さを有していればよく、厚みは、５ｍｍ〜１０ｍｍである。
【００２７】
このような構造の矯正履物３を履く場合、実施例２の矯正履物２と同様に、足８の爪先を被甲部３２に潜り込ませつつ、足８の裏を前方足裏載置面３０ａに乗せる。このとき、親指８ａと人差し指８ｂとの間に指間板３４が来るようにする。そして、踵びバンド部３６を掛けるようにすることで、矯正履物３が脱げることを防止することができる。これにより、実施例１の矯正履物１と同様に、爪先が下がって指先に負担が掛かった状態でありながら、親指８ａと人差し指８ｂとが張り付かず指自体を自由に動かすことができることから、外反母趾の予防や改善が可能である。特に、矯正履物２と同様に、矯正履物３は、実施例１の矯正履物１と違って踵側の後方足裏載置面１０ｂを有しないことから、踵を絶えずあげたままの状態にしておく必要があり、足の筋肉を引きしめの効果がより一層期待できる。
【実施例４】
【００２８】
図９は、本発明に係る第４の実施例の矯正履物を示す斜視図である。
【００２９】
図９に示す、本実施例４における矯正履物４は、下駄状の履物で、足８を載置する矯正履物４の本体をなす基台部４０と、足８の甲の部分を支える被甲部である鼻緒４２と、鼻緒４２の爪先側に設けられた指間板４４等から構成されている。基台部４０は、合成樹脂や木材等で作られている。実施例４の基台部４０は、実施例２の基台部２０と同様に、足８の裏の内側足根小球及び外側足根小球から指裏が接し、爪先方向に向かって下がっている前方足裏載置面４０ａのみを有している。前方足裏載置面４０ａは、爪先方向に向かって５度〜２０度下がっている。
【００３０】
鼻緒４２の略Ｖ字状の紐部４２ａの中間から垂下する指間挟持部４２ｂの爪先方向に、指間板４４を備えている。指間板４４は、合成樹脂や木材等で、例えば固めの発泡ウレタン等で作られている。指間板４４は、親指８ａと人差し指８ｂとを離間させるに十分な厚みと固さを有していればよく、厚みは、５ｍｍ〜１０ｍｍである。
【００３１】
このような構造の矯正履物４を履く場合、足８の爪先を鼻緒４２に掛けつつ、足８の裏を前方足裏載置面４０ａに乗せる。親指８ａと人差し指８ｂとが、鼻緒４２の指間挟持部４２ｂを挟むようになり、親指８ａと人差し指８ｂとの間が、指間板４４で隔てられることになる。これにより、実施例１の矯正履物１と同様に、爪先が下がって指先に負担が掛かった状態でありながら、親指８ａと人差し指８ｂとが張り付かず指自体を自由に動かすことができることから、外反母趾の予防や改善が可能である。特に、矯正履物２と同様に、矯正履物４は、実施例１の矯正履物１と違って踵側の後方足裏載置面１０ｂを有しないことから、踵を絶えずあげたままの状態にしておく必要があり、足の筋肉の引きしめの効果がより一層期待できる。
【００３２】
尚、前方足裏載置面１０ａ，２０ａ，３０ａ，４０ａの傾きを５度〜２０度にするのが、足の筋肉を引きしめると共に外反母趾の予防や改善には、好ましい。また、上記の実施例１〜実施例４の指間板１４，２４，３４，４４を、基台部１０，２０，３０，４０に固着させず、着脱可能にしてもよい。
【産業上の利用可能性】
【００３３】
以上のように、本発明によれば、足の筋肉を引きしめると共に外反母趾の予防や改善が可能な矯正履物を提供することができる。
【符号の説明】
【００３４】
１・・・・・矯正履物
２・・・・・矯正履物
３・・・・・矯正履物
４・・・・・矯正履物
８・・・・・足
８ａ・・・・親指
８ｂ・・・・人差指
１０・・・・基台部
１０ａ・・・前方足裏載置面
１０ｂ・・・後方足裏載置面
１０ｃ・・・角部
１２・・・・被甲部
１４・・・・指間板
２０・・・・基台部
２０ａ・・・前方足裏載置面
２２・・・・被甲部
２４・・・・指間板
３０・・・・基台部
３０ａ・・・前方足裏載置面
３２・・・・被甲部
３４・・・・指間板
３６・・・・バンド部
４０・・・・基台部
４０ａ・・・前方足裏載置面
４２・・・・鼻緒
４２ａ・・・紐部
４２ｂ・・・指間挟持部
４４・・・・指間板
【図１】
0005551417.tif 000002
【図２】
0005551417.tif 000003
【図３】
0005551417.tif 000004
【図４】
0005551417.tif 000005
【図５】
0005551417.tif 000006
【図６】
0005551417.tif 000007
【図７】
0005551417.tif 000008
【図８】
0005551417.tif 000009
【図９】
0005551417.tif 000010